(57)【要約】【課題】塵埃収集回転体によりフィルタから掻き取った塵埃を第２集塵部へと簡単な構成で確実に移動させることができる集塵カップを提供する。【解決手段】第１集塵部27のフィルタ52で捕集した塵埃を、塵埃収集回転体37の回動により掻き取る。掻き取った塵埃を、塵埃収集回転体37の回動に連動した塵埃圧縮体38により掻き取る。塵埃収集回転体37によりフィルタ52から掻き取った塵埃を、簡単な構成で確実に第２集塵部173へと移動させることができる。【選択図】図１
2008246154.tif 000002
【特許請求の範囲】
【請求項１】
塵埃を捕集するフィルタを備えた第１集塵部と、
この第１集塵部に連通し、塵埃を溜める第２集塵部と、
前記第１集塵部内に設けられ、回動により前記フィルタに捕集した塵埃を掻き取る回転体と、
前記第１集塵部内に設けられ、前記回転体の回動に連動して動作され、前記回転体にて除いた塵埃をこの回転体から除いて前記第２集塵部へと移動させる移動体と
を具備したことを特徴とした集塵装置。
【請求項２】
回転体は、第１集塵部を通過する空気の流れに沿う方向に回動される
ことを特徴とした請求項１記載の集塵装置。
【請求項３】
移動体は、回転体から除いた塵埃を第２集塵部へと移動させる際に、この第２集塵部側の塵埃を圧縮する
ことを特徴とした請求項１または２記載の集塵装置。
【請求項４】
少なくとも回転体の回動時に、前記回転体の回動方向後側からこの回動方向と反対方向への空気の流れを遮断する壁体を具備した
ことを特徴とした請求項１ないし３いずれか一記載の集塵装置。
【請求項５】
回転体は、回動時に移動体の表面を拭き取る
ことを特徴とした請求項１ないし４いずれか一記載の集塵装置。
【請求項６】
電動送風機を収容した掃除機本体と、
前記電動送風機の吸込側に第１集塵部の下流側が連通する請求項１ないし５いずれか一記載の集塵装置と
を具備したことを特徴とした電気掃除機。
【発明の詳細な説明】
【技術分野】
【０００１】
本発明は、第１集塵部内のフィルタに捕集した塵埃を掻き取る回転体を有する集塵装置およびこれを備えた電気掃除機に関する。
【背景技術】
【０００２】
従来、この種の電気掃除機は、電動送風機を収容した掃除機本体を備えている。この掃除機本体内には、電動送風機の吸込側に連通する集塵装置である集塵カップが設けられている。この集塵カップは、空気とともに塵埃を吸い込む吸込口および空気が通過するフィルタを備えた第１集塵部と、この第１集塵部に捕集された塵埃を移動させて溜めるための第２集塵部とを有している。第１集塵部は、例えば左右方向に沿って中心軸を有する円筒状に形成されており、この第１集塵部内には、回動されることでフィルタの表面に付着した塵埃を掻き取る回転体が設けられている（例えば、特許文献１参照。）。
【特許文献１】特開２００５−２７０５０４号公報（第４−７頁、図１−２）
【発明の開示】
【発明が解決しようとする課題】
【０００３】
しかしながら、上述の集塵装置では、回転体によりフィルタから掻き取った塵埃が、第２集塵部へと自重落下するに過ぎず、この塵埃を第２集塵部へと確実に移動させることが容易でないという問題点を有している。
【０００４】
本発明は、このような点に鑑みなされたもので、回転体によりフィルタから掻き取った塵埃を第２集塵部へと簡単な構成で確実に移動させることができる集塵装置およびこれを備えた電気掃除機を提供することを目的とする。
【課題を解決するための手段】
【０００５】
本発明は、塵埃を捕集するフィルタを備えた第１集塵部と、この第１集塵部に連通し、塵埃を溜める第２集塵部と、第１集塵部内に設けられ、回動によりフィルタに捕集した塵埃を掻き取る回転体と、第１集塵部内に設けられ、回転体の回動に連動して動作され、回転体にて除いた塵埃をこの回転体から除いて第２集塵部へと移動させる移動体とを具備したものである。
【発明の効果】
【０００６】
本発明によれば、第１集塵部のフィルタで捕集した塵埃を、回転体の回動により掻き取り、このフィルタから除いた塵埃を、回転体の回動に連動される移動体により回転体から除いて第２集塵部へと移動させることで、回転体によりフィルタから掻き取った塵埃を、簡単な構成で確実に第２集塵部へと移動させることができる。
【発明を実施するための最良の形態】
【０００７】
以下、本発明の一実施の形態の電気掃除機の構成を図１ないし図１０を参照して説明する。
【０００８】
図１０において、１は掃除機本体であり、この掃除機本体１の内部には、電動送風機２が収容されている。そして、掃除機本体１は、いわゆるキャニスタ型の電気掃除機であり、電動送風機２の駆動にて生じる吸気風とともに吸い込んだ塵埃を捕捉して集塵する。
【０００９】
また、掃除機本体１は、上部を開口した下ケース３と、この下ケース３の上部を開閉可能に覆う蓋体４とを備え、内部に電動送風機２を収容する本体ケース５を備えている。また本体ケース５の前部には、外部から空気を吸引する接続口としての本体吸込口６が開口されている。この本体吸込口６には、細長略円筒状のホース体７が連通接続されている。このホース体７の先端には、電動送風機２の動作モードなどが選択可能な手元操作部８が設けられている。
【００１０】
そして、この手元操作部８には、掃除する際に作業者が把持する把持部11が基端側に突設されているとともに、この把持部11に、掃除機本体１内の電動送風機２などの駆動状態を所定の状態に設定する複数の設定ボタン12が設けられている。また、この手元操作部８の先端には、細長略円筒状の延長管13が着脱可能に連通接続されている。さらに、この延長管13の先端には、例えば室内の床面の絨毯などの上に設置させて、この絨毯上の塵埃を吸い込む床ブラシ14が着脱可能に連通接続されている。
【００１１】
そして、掃除機本体１には、集塵装置としての集塵カップ21が設けられている。この集塵カップ21は、例えば樹脂などの部材で気密に形成され、下ケース３と蓋体４とで挟持されて掃除機本体１に対して着脱可能に設けられている。そして、この集塵カップ21は、図１ないし図９に示すように、集塵装置本体としての集塵カップ本体22と、この集塵カップ本体22に対して着脱可能な別体の集塵ケース23とを備えている。
【００１２】
集塵カップ本体22は、左右方向に沿って中心軸を有する円筒状の円筒部25と、この円筒部25の後部に一体に設けられた区画部26とを有し、円筒部25の内部に第１集塵部27が区画されているとともに、区画部26の内部に通過空間部28が区画されている。
【００１３】
円筒部25の上部には、この円筒部25の略接線方向に沿って、略円筒状の吸込管部31が前方へ向けて突設され、この吸込管部31の前端部に、本体吸込口６の下流側に気密に接続される吸込口32が形成されている。さらに、円筒部25の区画部26に対向する後部には、第１集塵部27と通過空間部28とを連通させる連通口33が径方向に穿設されている。そして、円筒部25の下部には、集塵ケース23側と連通する角孔状の塵埃移動口34が開口形成されている。
【００１４】
また、円筒部25の内部には、回転体としての塵埃収集回転体37と、移動体としての塵埃圧縮体38と、壁体としての風路切換板39とが、それぞれ回動可能に収容されている。さらに、円筒部25の軸方向の一端部は、取付壁部40により閉塞され、軸方向の他端部は、開閉壁部としての円板状の集塵カップカバー41により開閉可能となっている。そして、取付壁部40には、塵埃収集回転体37および塵埃圧縮体38を回動させる回動機構43が取り付けられている。
【００１５】
一方、区画部26は、円筒部25に対して後方に突出され、通過空間部28を気密に区画している。また、この区画部26の後部には、通過空間部28に連通する円筒状の排気管部45が突設され、この排気管部45の後端部が、電動送風機２(図１０)の吸込側に接続される排気口46となっている。また、排気管部45の先端側の外周部には、この排気口46を電動送風機２の吸込側に気密に接続するための図示しないシール部材が嵌着されている。そして、区画部26の排気管部45の下方には、集塵ケース23を集塵カップ本体22に対して係止可能にする係止機構48が設けられている。
【００１６】
連通口33は、四角形状の開口であり、格子状のフィルタ枠51が取り付けられている。そして、このフィルタ枠51には、メッシュ状のフィルタ52が、第１集塵部27の内周面と略面一に円筒面を形成するように取り付けられている。
【００１７】
塵埃移動口34は、塵埃圧縮体38の一部が嵌合可能な大きさに形成されている。
【００１８】
塵埃収集回転体37は、回動機構43により回動されてフィルタ52に捕集した塵埃を掻き取るもので、取付壁部40の中心位置と集塵カップカバー41の中心位置との間で両端部が軸支される回動軸部55と、この回動軸部55に一体に設けられた塵埃掻取部56とを有している。
【００１９】
そして、塵埃掻取部56は、回動軸部55から径方向に突設された円弧板状の突出板部61と、回動軸部55から突設されて突出板部61の両端部に連続する端板部62，62とを備え、これら突出板部61と端板部62，62とで区画され外部に連通する空間部63を内部に有している。また、端板部62，62間には、フィルタ52に捕集した塵埃を掻き取るための第１掻取部材としての第１清掃体である掻取部材64が帯状に設けられている。
【００２０】
突出板部61は、掻取部材64によりフィルタ52から掻き取られた塵埃が塵埃収集回転体37の回動により面上に移動してくる部分であり、先端部が第１集塵部27の内周面に対して若干の隙間を介して対向し、塵埃収集回転体37の回転方向前側に対して凹状となるように湾曲形成されている。
【００２１】
各端板部62は、塵埃収集回転体37の回転方向前側に位置し突出板部61の湾曲形状に沿った第１湾曲辺62aと、この第１湾曲部62aの回転方向後側の位置で湾曲形状に形成された第２湾曲辺62bと、これら湾曲辺62a，62bの先端間に連続する第３湾曲辺62cとを備えた中心角が鋭角の略扇形状に形成されている。
【００２２】
第２湾曲辺62bは、塵埃圧縮体38の形状に沿って湾曲しており、塵埃収集回転体37の回転方向前側に対して凹状となるように湾曲形成されている。
【００２３】
また、第３湾曲辺62cは、第１集塵部27の内周面に沿った円弧状に湾曲形成されている。
【００２４】
空間部63は、回転により塵埃圧縮体38が第２湾曲辺62b側から嵌合可能な空間である。
【００２５】
掻取部材64は、例えば起毛布などであり、毛の先端が塵埃収集回転体37の回転方向前側に傾斜して、第３湾曲辺62cから若干突出している。
【００２６】
また、塵埃圧縮体38は、塵埃収集回転体37の回動に連動して回動され、この塵埃収集回転体37がフィルタ52から掻き取った塵埃を、この塵埃収集回転体37から掻き取って集塵ケース23側へと移動させるフラップ体であり、吸込管部31の下方でかつ塵埃移動口34の前端部にて取付壁部40と集塵カップカバー41との間で両端部が軸支される圧縮体回動軸部71を備えた移動体本体である圧縮体本体72と、この圧縮体本体72を覆う円弧板状の移動体カバーである圧縮体カバー73と、これら圧縮体本体72と圧縮体カバー73との間に可動的に配設される係止体74，74とを有している。そして、この塵埃圧縮体38は、先端側が第１集塵部27の略中心位置と塵埃移動口34側との間で回動するように軸支されている。
【００２７】
圧縮体本体72は、塵埃収集回転体37の突出板部61および圧縮体カバー73と同様の円弧板状に形成され圧縮体回転軸部71から径方向に突設された円弧板部76を備え、この円弧板部76の両端部に、圧縮体側板部77(一方のみ図示)が連続するとともに、円弧板部76の先端部と両圧縮体側板部77とに円弧板状の掻取板部78が連続している。さらに、圧縮体本体72には、圧縮体回動軸部71の近傍の下部に、塵埃圧縮体38の回り止めとなる突部79が圧縮体回動軸部71の軸方向全体に連続して設けられている。
【００２８】
各圧縮体側板部77には、各係止体74の一端部が外部に突出する突出孔部81が掻取板部78側の位置に切り欠き形成されている。
【００２９】
掻取板部78には、塵埃収集回転体37の掻取部材64により掻き取られて突出板部61の面上へと移動した塵埃を、この突出板部61から掻き取る第２掻取部材としての圧縮清掃体である圧縮掻取部材83が取り付けられている。
【００３０】
突部79は、塵埃移動口34の前端部に沿って形成された当接面部85に当接することで、塵埃圧縮体38の回動角度を規制するものである。
【００３１】
圧縮体カバー73は、第１集塵部27の内周面と同様の曲率を有する円弧状に形成されており、塵埃圧縮体38の先端側が塵埃移動口34側に回動した状態で、第１集塵部27の内周面と略面一となって第１集塵部27の内側に対向する部分である。
【００３２】
各係止体74は、圧縮体本体72に設けられた図示しない係止体取付部にて、圧縮体回動軸部71の軸方向に沿って摺動可能に保持されている。また、これら係止体74は、各圧縮体側板部77から突出する方向へと、図示しない付勢手段により弾性的に付勢されており、塵埃収集回転体37の空間部63に塵埃圧縮体38が嵌合した状態で、塵埃収集回転体37の各端板部62の第２湾曲辺62bに設けられた係止凹部62dに係止されることで、塵埃圧縮体38を塵埃収集回転体37に対して係止可能としている。
【００３３】
そして、風路切換板39は、塵埃収集回転体37の回転方向後側からこの回転方向と反対方向への空気の流れを遮断するフラップ体であり、吸込管部31の下方でかつ圧縮体回動軸部71の回動位置よりも上側の位置にて取付壁部40と集塵カップカバー41との間で両端部が軸支される切換板回動軸部87を備え、この切換板回動軸部87から径方向に、円弧板状のフラップ部88が突設されている。そして、この風路切換板39は、先端側が第１集塵部27の略中心位置から吸込管部31の後端部側へと回動するように軸支されている。
【００３４】
切換板回動軸部87は、図示しない付勢手段により、フラップ部88の先端側が第１集塵部27の中心位置側へと回動する方向に付勢されている。
【００３５】
また、フラップ部88は、塵埃圧縮体38の圧縮体カバー73と同様に、第１集塵部27の内周面と同様の曲率を有する円弧状に形成されており、風路切換板39の先端側が吸込管部31側に回動した状態で、第１集塵部27の内周面と略面一となって第１集塵部27の内側に対向する部分である。
【００３６】
集塵カップカバー41は、第１集塵部27内をメンテナンス用に開閉可能とするための蓋であり、集塵カップカバー41の内周縁部には、第１集塵部27を閉塞した状態での気密性を確保する図示しない環状のシール部材が取り付けられている。また、この集塵カップカバー41の外周縁部には、この集塵カップカバー41を集塵カップ本体22に図示しないねじなどにより固定するためのブラケット部である被固定部92が、例えば４箇所に突設されている。
【００３７】
図２、図４、図６および図８に示すように、回動機構43は、１つの電動機であるモータ95と、このモータ95により駆動される駆動部としてのギヤ部96とを有している。
【００３８】
モータ95は、区画部26の一側部、すなわち取付壁部40側の側部に固定される略円筒状のモータギヤカバー98により先端側が保持され、回転軸95aがこのモータギヤカバー98に対して挿通されている。また、このモータ95は、図示しない制御手段に電気的に接続されている。さらに、このモータ95は、スイッチとしてのリミットスイッチ99により、その動作のオンオフが切り換え可能となっている。
【００３９】
ここで、リミットスイッチ99は、モータギヤカバー98の前側上方にて取付壁部40から突設されたスイッチ保持部100上に固定されたリミットスイッチ本体99aに対して、スイッチ腕部99bがモータギヤカバー98と反対側に設けられている。
【００４０】
リミットスイッチ本体99aは、略直方体状に形成され、一長辺が取付壁部40の中心側に対向するように配設されている。
【００４１】
また、スイッチ腕部99bは、リミットスイッチ本体99aに対して、先端側が前方下側へと傾斜状に突出している。
【００４２】
ギヤ部96は、モータギヤカバー98内でモータ95の回転軸95aに接続されて回動可能な駆動ギヤ103と、この駆動ギヤ103に歯合する連動ギヤ104と、この連動ギヤ104に歯合する歯合ギヤ105、第１タイミングギヤ106および第２タイミングギヤ107と、この第２タイミングギヤ107に歯合するクランク用ギヤ108と、このクランク用ギヤ108と同軸に一体的に固定される第１レバー109と、この第１レバー109にリンケージ110を介して連結される第２レバー111とを備えている。そして、このギヤ部96は、取付壁部40に着脱可能に取り付けられる図示しないカバーにより少なくとも一部が覆われている。
【００４３】
駆動ギヤ103は、モータギヤカバー98の前側上部に切り欠き形成された図示しない切欠孔部にて連動ギヤ104に歯合する円形状のギヤである。そして、この駆動ギヤ103は、モータ95により、一方向、例えば図２、図４および図６に示す時計回り方向に回動される。
【００４４】
連動ギヤ104は、駆動ギヤ103の回動を歯合ギヤ105、第１タイミングギヤ106および第２タイミングギヤ107のそれぞれに伝達する円形状のギヤであり、モータギヤカバー98の前方で、かつ、スイッチ保持部100の前側下方の位置にて取付壁部40に突設された略円筒状のギヤ軸支部112に回動可能に軸支されている。
【００４５】
歯合ギヤ105は、略円形状の大径のギヤであり、中心に軸支筒部113が突設され、この軸支筒部113に対して、取付壁部40の中心位置にて集塵カップ本体22の側方に突設された円筒状の軸支突部114が背面側から挿入されることで、回動可能に軸支され、塵埃収集回転体37を回動させることが可能となっている。また、この歯合ギヤ105は、連動ギヤ104の例えば１／３程度の厚みを有している。さらに、この歯合ギヤ105は、外周部に第１ギヤ歯部115と第２ギヤ歯部116とが形成され、これら第１ギヤ歯部115と第２ギヤ歯部116との間に、ギヤ歯が形成されていない第１切欠部117と第２切欠部118とが形成されている。そして、この歯合ギヤ105の一主面、すなわち取付壁部40と反対側の主面には、第１ギヤ歯部115と対応する位置に、第１付勢手段としての第１スプリング121を介して第１タイミングギヤ106と連結される第１連結突部122と、第２付勢手段としての第２スプリング124を介して第２タイミングギヤ107と連結される第２連結突部125とがそれぞれ突設されている。また、この歯合ギヤ105の各連結突部122，125と同側面には、第１タイミングギヤ106に挿入される第１挿入突部127と、第２タイミングギヤ107に挿入される第２挿入突部128とがそれぞれ突設されている。
【００４６】
第１ギヤ歯部115は、歯合ギヤ105の外周部に例えば半周分、すなわち中心角が第１中心角である１８０°分に亘って形成されている。
【００４７】
第２ギヤ歯部116は、歯合ギヤ105の中心に対して第１ギヤ歯部115と反対側の位置に、例えば１／６周分、すなわち中心角が第２中心角である６０°分に亘って形成されている。
【００４８】
第１切欠部117は、第１ギヤ歯部115と第２ギヤ歯部116との間に、例えば１／６周分、すなわち中心角が第３中心角である６０°分に亘って形成されている。
【００４９】
第２切欠部118は、第２ギヤ歯部116に対して第１切欠部117と反対側の第１ギヤ歯部115と第２ギヤ歯部116との間に、例えば１／６周分、すなわち中心角が第４中心角である６０°分に亘って形成されている。
【００５０】
したがって、これら第１ギヤ歯部115、第２ギヤ歯部116、第１切欠部117および第２切欠部118により、歯合ギヤ105の外周全体が構成されている。そして、この歯合ギヤ105は、第１ギヤ歯部115の第１切欠部117側の端部が塵埃収集回転体37の突出板部61側と対応する位置となるように塵埃収集回転体37と連結されている。
【００５１】
また、第１連結突部122は、第２切欠部118寄りの歯合ギヤ105の外周近傍に突設されている。なお、この第１連結突部122の突出量は、例えば第１タイミングギヤ106の厚み以下に設定されている。
【００５２】
第２連結突部125は、第１連結突部122に対して、第１切欠部117側寄りの歯合ギヤ105の外周付近に突設されている。
【００５３】
第１挿入突部127は、第１切欠部117の第１ギヤ歯部115寄りの位置に突設されている。
【００５４】
第２挿入突部128は、第２切欠部118の第１ギヤ歯部115寄りの位置に突設されている。
【００５５】
第１タイミングギヤ106は、歯合ギヤ105と同軸で重ね合わせられた中心角が例えば１３５°程度の略扇形状のギヤであり、歯合ギヤ105の軸支筒部113の先端側が挿通される環状の挿通部131が形成されている。また、この第１タイミングギヤ106の外周部には、所定の中心角、例えば４５°程度の中心角に対応する位置に第１外周ギヤ歯部133が形成されているとともに、この第１外周ギヤ歯部133の回転方向後側に連続して、この第１外周ギヤ歯部133よりも大きい所定の中心角、例えば９０°程度の中心角に対応する第２外周ギヤ歯部134が形成されている。さらに、この第１タイミングギヤ106には、第１外周ギヤ歯部133と第２外周ギヤ歯部134との連続位置にて、径方向に沿って第２タイミングギヤ107の回り止め用のストッパ壁部135が突設されている。そして、この第１タイミングギヤ106の回転方向後側部には、第１スプリング121が連結される第１連結孔部136が設けられている。また、この第１タイミングギヤ106には、歯合ギヤ105の第１挿入突部127が挿入される第１ガイド孔部137が切り欠き形成されている。
【００５６】
第１外周ギヤ歯部133は、第２外周ギヤ歯部134よりも厚み方向に突出しており、連動ギヤ104およびクランク用ギヤ108に歯合される部分である。なお、この第１外周ギヤ歯部133の中心角は、塵埃圧縮体38の回動角度に設定されている。
【００５７】
第１外周ギヤ歯部133は、連動ギヤ104に歯合される部分であり、第１タイミングギヤ106は、この第１外周ギヤ歯部133において、歯合ギヤ105と略等しい厚みに形成されている。
【００５８】
そして、これら外周ギヤ歯部133，134は、歯合ギヤ105の各ギヤ歯部115，116と同形状の歯形を有している。
【００５９】
第１ガイド孔部137は、第１タイミングギヤ106の回転方向前側近傍から、ストッパ壁部135の中心位置を切り欠いて、中心角が例えば９０°程度、すなわち第１外周ギヤ歯部133よりも大きい円弧状に切り欠き形成されている。
【００６０】
一方、第２タイミングギヤ107は、歯合ギヤ105と同軸で第１タイミングギヤ106に重ね合わせられた中心角が例えば１２０°程度の略扇形状のギヤであり、第１タイミングギヤ106の挿通部131と同軸に嵌合する環状の軸支中心部141が形成されている。また、この第２タイミングギヤ107の外周部には、所定の中心角、例えば４５°程度の中心角に対応する位置に第１歯合ギヤ歯部143が形成されているとともに、この第１歯合ギヤ歯部143の回転方向後側に連続して、この第１歯合ギヤ歯部143よりも大きい所定の中心角、例えば７５°程度の中心角に対応する第２歯合ギヤ歯部144が形成されている。さらに、この第２タイミングギヤ107の回転方向後側部には、第２スプリング124が連結される第２連結孔部146が設けられている。そして、この第２タイミングギヤ107の回転方向後側の第２連結孔部146の近傍には、リミットスイッチ99のスイッチ腕部99bを押圧してリミットスイッチ99をオンオフ動作させるスイッチ動作突部147が突設されている。そして、この第２タイミングギヤ107には、歯合ギヤ105の第２挿入突部128が挿入される第２ガイド孔部148が切り欠き形成されている。
【００６１】
第１歯合ギヤ歯部143は、第２歯合ギヤ歯部144よりも厚み方向に突出しており、連動ギヤ104およびクランク用ギヤ108に歯合される部分である。なお、この第１歯合ギヤ歯部143の中心角は、第１外周ギヤ歯部133の中心角、すなわち塵埃圧縮体38の回動角度と略等しく設定されている。
【００６２】
第２歯合ギヤ歯部144は、連動ギヤ104に歯合される部分であり、第２タイミングギヤ107は、この第２歯合ギヤ歯部144において、歯合ギヤ105と略等しい厚みに形成されている。
【００６３】
そして、これら歯合ギヤ歯部143，144は、歯合ギヤ105の各ギヤ歯部115，116と同形状の歯形を有している。
【００６４】
スイッチ動作突部147は、先端部が第２タイミングギヤ107よりも径方向に突出している。
【００６５】
第２ガイド孔部148は、第２タイミングギヤ107の回転方向後側近傍から、中心角が例えば９０°程度、すなわち第２歯合ギヤ歯部144よりも大きい円弧状に切り欠き形成されている。
【００６６】
そして、歯合ギヤ105、第１タイミングギヤ106および第２タイミングギヤ107は、軸支突部114の先端部に取り付けられる押さえ板149により、集塵カップ本体22に保持されている。
【００６７】
また、クランク用ギヤ108は、連動ギヤ104の前方にて取付壁部40に突設された円筒状のクランク用ギヤ軸支部151の先端部に回動可能に軸支された円形状のギヤであり、連動ギヤ104よりも集塵カップ本体22に対して側方に突出した位置で回動するように配設されている。
【００６８】
第１レバー109は、クランク用ギヤ108の径方向に先端部が突出しており、この先端部がリンケージ110の一端部に回動可能に連結されている。
【００６９】
リンケージ110は、クランク用ギヤ108の回動を第２レバー111側に伝達する長尺状の板体であり、一端部が第１レバー109に、他端部が第２レバー111に、それぞれ回動可能に連結されている。
【００７０】
第２レバー111は、例えば塵埃圧縮体38の軸支位置にて取付壁部40に突設された円筒状の図示しないレバー軸支部に軸支された本体部である円筒状の円筒体部156と、この円筒体部156から径方向に突設されたクランク腕部157とにより構成され、このクランク腕部157の先端部がリンケージ110の他端部に回動可能に連結されて、塵埃圧縮体38を回動させることが可能となっている。
【００７１】
そして、これらクランク用ギヤ108、第１レバー109、リンケージ110および第２レバー111により、クランク機構158が構成されている。
【００７２】
また、図１、図３、図５および図７などに示すように、係止機構48は、区画部26の後部に突設された一対の軸支板部161(一方のみ図示)に両側が軸支された解除ボタンである係止板162と、この係止板162の軸支板部161よりも上側である上端側を後方へと付勢する図示しない付勢手段とを有している。そして、係止板162の下端部に、集塵ケース23側に係止される係止爪部163が前方へと突設されている。
【００７３】
一方、集塵ケース23は、集塵カップ本体22に係止される集塵ケース本体171と、この集塵ケース本体171に回動可能に軸支された蓋体172とを有しており、内部に第２集塵部173を気密に区画している。
【００７４】
集塵ケース本体171には、上端部に、集塵カップ本体22の塵埃移動口34と連通する連通廃棄口175が開口形成されている。また、この集塵ケース本体171の連通廃棄口175の前端部には、集塵カップ本体22の塵埃圧縮体38の軸支位置の前側に設けられた係止凹部176に係止される係止突出部177が爪状に形成されている。さらに、集塵ケース本体171の前部の下端には、蓋体172の前端部を集塵ケース本体171に係止する蓋体係止機構181が設けられている。そして、集塵ケース本体171の後部上側には、係止機構48の係止板162の係止爪部163に係止される爪部182が後方に向けて略水平状に突設されている。また、集塵ケース本体171の後部下側には、蓋体172の後端部を軸支する一対の蓋体軸支部183(一方のみ図示)が後方に突設されている。さらに、集塵ケース本体171の下端部は、第２集塵部173内の塵埃を廃棄する際の塵埃廃棄口184となっている。
【００７５】
連通廃棄口175は、塵埃移動口34と同様に、塵埃圧縮体38の一部が嵌合可能な大きさに形成されている。また、この連通廃棄口175の周縁部には、集塵ケース23を集塵カップ本体22に装着した状態で塵埃移動口34と気密に接続するための図示しないシール部材が設けられている。
【００７６】
蓋体係止機構181は、係止機構48と同様に、集塵ケース本体171の前部の下端寄りの位置に突設された一対の軸支板部186(一方のみ図示)に両側が軸支された解除ボタンである蓋体係止板187と、この蓋体係止板187の軸支板部186よりも上側である上端側を後方へと付勢する図示しない付勢手段とを有している。そして、蓋体係止板187の下端部に、蓋体172側に係止される蓋体係止爪部188が前方へと突設されている。
【００７７】
蓋体172は、塵埃廃棄口184を開閉するもので、上端が開口した皿状に形成され、集塵ケース本体171の各蓋体軸支部183にそれぞれ回動可能に軸支される一対の軸支片部191(一方のみ図示)が後部に突設されているとともに、蓋体係止機構181の蓋体係止板187の蓋体係止爪部188に係止される蓋体爪部192が前端部に突設されている。さらに、この蓋体172の上端部には、蓋体172を閉じた状態で塵埃廃棄口184を気密に閉塞するための図示しないシール部材が取り付けられている。
【００７８】
そして、第２集塵部173は、第１集塵部27から塵埃圧縮体38により移動された塵埃を溜める空間部である。
【００７９】
次に、上記一実施の形態の動作を説明する。
【００８０】
集塵カップ21を掃除機本体１に取り付けた状態で、本体吸込口６にホース体７、延長管13および床ブラシ14を順次連通接続させ、把持部11を把持して所定の設定ボタン12を押すことで、電動送風機２を駆動させる。
【００８１】
このとき、回動機構43は、図２に示す状態となっている。
【００８２】
すなわち、歯合ギヤ105は、第２切欠部118が連動ギヤ104に対向する位置となっており、第１タイミングギヤ106は、歯合ギヤ105の第１挿入突部127が第１ガイド孔部137の回転方向前側の端部である図中の左端部に係合する位置となっており、第２タイミングギヤ107は、歯合ギヤ105の第２挿入突部128が第２ガイド孔部148の回転方向後側の端部である図中の右端部に係合し第２歯合ギヤ歯部144が連動ギヤ104に歯合する位置となっており、かつ、第１スプリング121が略自然長状態、第２スプリング124が最大伸張状態となっている。
【００８３】
この結果、塵埃収集回転体37、塵埃圧縮体38および風路切換板39のそれぞれは、図１に示す位置となっている。
【００８４】
すなわち、塵埃収集回転体37は、塵埃移動口34の前側上方に位置し、塵埃圧縮体38は、先端側が上方へと回動して塵埃収集回転体37の空間部63に嵌合し、かつ、風路切換板39は、塵埃収集回転体37により前方へと押圧されて円筒部25の内側の前部に沿って位置している。
【００８５】
そして、電動送風機２の駆動により、床ブラシ14の先端部から空気とともに塵埃が吸い込まれ、この塵埃は、延長管13、ホース体７および本体吸込口６を順次通過して吸込口32から集塵カップ21の第１集塵部27内へと空気とともに吸い込まれる。
【００８６】
このとき、空気が連通口33を介して通過空間部28および排気口46へと通過することで、この空気に含まれる塵埃が連通口33のフィルタ52に捕集される。
【００８７】
排気口46を通過した空気は、電動送風機２に吸い込まれて排気風となり、図示しない排気孔から本体ケース５の外部へと排気される。
【００８８】
そして、掃除中、あるいは掃除終了時などの任意のタイミングにおいて、制御手段が、モータ95を図２に示す時計回り方向に駆動させる。
【００８９】
すると、このモータ95の駆動により、図２および図４に示すように、駆動ギヤ103が時計回り方向に回動し、この駆動ギヤ103に歯合している連動ギヤ104が反時計回り方向に回動し、連動ギヤ104に第２歯合ギヤ歯部144が歯合している第２タイミングギヤ107が時計回り方向に回動し、この第２タイミングギヤ107の第２ガイド孔部148と歯合ギヤ105の第２挿入突部128との係合により、第２タイミングギヤ107に引っ張られて歯合ギヤ105が時計回り方向に回動し、この歯合ギヤ105の第１挿入突部127と第１タイミングギヤ106の第１ガイド孔部137との係合により、第１タイミングギヤ106も歯合ギヤ105と一体的に時計回り方向に回動する。さらに、歯合ギヤ105の回動により、この歯合ギヤ105の第１ギヤ歯部115が連動ギヤ104に歯合し、この第１ギヤ歯部115が歯合している間、歯合ギヤ105が回動する。
【００９０】
なお、第２タイミングギヤ107は、第２歯合ギヤ歯部144と連動ギヤ104との歯合が外れるまで回動した後、一旦停止し、第２スプリング124の収縮による付勢によって、その位置で保持されて歯合ギヤ105との相対的な位置が変化し、歯合ギヤ105の第２挿入突部128が第２タイミングギヤ107の第２ガイド孔部148の回動方向前端部に当接すると、再度歯合ギヤ105と一体的に時計回り方向に回動する。この結果、第２スプリング124は略自然長となる。
【００９１】
歯合ギヤ105の回動に伴い、この歯合ギヤ105と連結された塵埃収集回転体37が、図３に示すように時計回り方向、すなわち、第１集塵部27を通過する吸込風に沿う方向に、第１歯合ギヤ歯部143の中心角と第１ギヤ歯部115の中心角との総和分に亘って回動することで、この塵埃収集回転体37の掻取部材64が、風路切換板39のフラップ部88の表面を拭き取るとともに、フィルタ52にて捕集した塵埃を掻き取る。
【００９２】
この塵埃収集回転体37により捕集した塵埃は、塵埃収集回転体37の回動に伴い、掻取部材64から突出板部61の面上へと移動する。
【００９３】
また、風路切換板39は、塵埃収集回転体37の第２湾曲辺62b側が通過することで、付勢手段により付勢されて先端側が第１集塵部27の中心側へと回動して塵埃圧縮体38の先端部に当接することにより、塵埃収集回転体37の回転方向後側から、この回転方向と反対方向、すなわち、図３に示す反時計回り方向への空気の流れを遮断する。
【００９４】
この後、図４に示すように、歯合ギヤ105の第１ギヤ歯部115と連動ギヤ104との歯合が外れて、第１切欠部117が連動ギヤ104の位置となると、歯合ギヤ105の回動すなわち塵埃収集回転体37(図３)の回動が一旦停止し、第１外周ギヤ歯部133が連動ギヤ104に歯合した第１タイミングギヤ106のみが、第１スプリング121を引き伸ばしつつ時計回り方向に回動する。
【００９５】
このとき、塵埃収集回転体37は、図３に示すように、第１湾曲辺62a側が塵埃移動口34の後縁部に対向する位置となる。
【００９６】
さらに、この第１タイミングギヤ106は、第２外周ギヤ歯部134が連動ギヤ104に歯合することで、図４の想像線に示すように、さらに時計回り方向に回動することにより、第１外周ギヤ歯部133がクランク用ギヤ108に歯合し、クランク用ギヤ108を反時計回り方向に回動させる。
【００９７】
すると、クランク用ギヤ108と一体的に回動する第１レバー109の先端側が反時計回り方向に回動することで、リンケージ110が下方へと引き下げられ、このリンケージ110と連結された第２レバー111の先端側が下方へと時計回り方向に回動する。
【００９８】
この結果、クランク用ギヤ108の回動に伴って、図５に示すように、塵埃圧縮体38の先端側が下方へと回動されて塵埃圧縮体38の圧縮掻取部材83が塵埃収集回転体37の突出板部61上に集められた塵埃を下方へと掻き取り、塵埃移動口34および連通廃棄口175を介して第２集塵部173へと移動させる。
【００９９】
同時に、塵埃圧縮体38は、第２集塵部173から突出する綿ごみなどの塵埃を、この回動時に同時に圧縮する。
【０１００】
塵埃圧縮体38は、図４に示す第１タイミングギヤ106が回動して第１外周ギヤ歯部133とクランク用ギヤ108との歯合が外れるまで、すなわち第１外周ギヤ歯部133の中心角に対応する角度回動され、塵埃移動口34および連通廃棄口175内に嵌合した状態で停止する。
【０１０１】
この後、第１タイミングギヤ106がさらに回動すると、歯合ギヤ105の第２挿入突部128が第２ガイド孔部148の回転方向後端部に係合することで、歯合ギヤ105すなわち塵埃収集回転体37が再度時計回り方向に回動して第２ギヤ歯部116が連動ギヤ104に歯合し、塵埃収集回転体37の掻取部材64が、塵埃圧縮体38の圧縮体カバー73に付着した塵埃を拭き取り、かつ、風路切換板39を、付勢手段の付勢に抗して前方へと押して回動させる。
【０１０２】
なお、第１タイミングギヤ106は、第２歯合ギヤ歯部144と連動ギヤ104との歯合が外れるまで回動した後、一旦停止し、第１スプリング121の収縮による付勢によって、その位置で保持されて歯合ギヤ105との相対的な位置が変化し、歯合ギヤ105の第１挿入突部127が第１タイミングギヤ106の第１ガイド孔部137の回動方向前端部に当接する。この結果、第１スプリング121は略自然長となる。
【０１０３】
このタイミングで、歯合ギヤ105は、第２ギヤ歯部116と連動ギヤ104との歯合が外れて、第２切欠部118が連動ギヤ104の位置となると、回動が停止するとともに、第１歯合ギヤ歯部143が連動ギヤ104に歯合した第２タイミングギヤ107のみが、第２スプリング124の付勢に抗しつつ時計回り方向に回動する。
【０１０４】
このとき、図７に示すように、塵埃収集回転体37が歯合ギヤ105の停止に伴って、第２湾曲辺62b側が塵埃移動口34の前端部に対向する位置で停止する。
【０１０５】
さらに、この第２タイミングギヤ107は、第２歯合ギヤ歯部144が連動ギヤ104に歯合することで、図６の想像線に示すように、さらに時計回り方向に回動することにより、第１歯合ギヤ歯部143がクランク用ギヤ108に歯合し、クランク用ギヤ108を反時計回り方向に回動させる。
【０１０６】
すると、クランク用ギヤ108と一体的に回動する第１レバー109の先端側が、反時計回り方向に回動することで、リンケージ110のクランク用ギヤ108側のみがクランク用ギヤ108の回動により回動し、第１レバー109の先端側が図中右側から上側へと回動すると、リンケージ110により第２レバー111の先端側が図中右側から左側へと力を受け、この第２レバー111の先端側が上方へと反時計回り方向に回動する。
【０１０７】
この結果、クランク用ギヤ108の回動に伴って塵埃圧縮体38の先端側が上方へと回動され、塵埃圧縮体38が塵埃収集回転体37の空間部63に嵌合する図１に示す状態に戻る。
【０１０８】
このタイミングで、第２挿入突部128が第２ガイド孔部148の回動方向後端部に当接するとともに、第２タイミングギヤ107の第１歯合ギヤ歯部143と連動ギヤ104との歯合が外れることでクランク用ギヤ108の回動が停止し、第２レバー111の回動が停止することにより、塵埃圧縮体38の回動が停止し、かつ、第２タイミングギヤ107のスイッチ動作突部147がリミットスイッチ99のスイッチ腕部99bを押圧してリミットスイッチ99をオンし、モータ95の回動が停止する。
【０１０９】
電気掃除機の運転を終了した後、第２集塵部173に溜められた塵埃は、集塵ケース23を集塵カップ本体22から取り外して廃棄する。
【０１１０】
すなわち、係止機構48の係止板162の上側を集塵カップ本体22側へと押圧して係止爪部163と爪部182との係合を外しつつ、集塵ケース23の係止突出部177と集塵カップ本体22の係止凹部176との係合を外すことで、集塵ケース23を集塵カップ本体22から取り外すとともに、例えばごみ箱などの上方で、蓋体係止機構181の蓋体係止板187の上側を集塵ケース本体171側へと押圧して蓋体係止爪部188と蓋体爪部192との係合を外すことで、蓋体172が自重により軸支板部186を中心として前端側が下方へと回動させると、塵埃廃棄口184が開口して、第２集塵部173内の塵埃がごみ箱などへと自重落下して廃棄される。
【０１１１】
この後、上記と逆の操作により蓋体172を閉じて集塵ケース23を集塵カップ本体22へと装着することで、再度掃除に使用可能となる。
【０１１２】
上述したように、上記一実施の形態によれば、空気とともに第１集塵部27へと吸い込んだ塵埃をフィルタ52にて捕集するとともに、このフィルタ52にて捕集した塵埃を、塵埃収集回転体37の回動により掻き取り、さらに、この掻き取った塵埃を、塵埃収集回転体37の回動に連動する塵埃圧縮体38により塵埃収集回転体37から除いて第２集塵部173へと、簡単な構成で確実に移動させることができる。
【０１１３】
また、吸込風が通過する第１集塵部27内の塵埃およびフィルタ52に捕集した塵埃を、塵埃収集回転体37の回動により定期的に第２集塵部173へと移動させることが可能なので、第１集塵部27に塵埃が溜まらずに風路抵抗が増加しにくく、吸込力が低下しにくい。
【０１１４】
さらに、塵埃収集回転体37と塵埃圧縮体38との回動機構43を、上記のようにモータ95、ギヤ部96およびクランク機構158などで構成することにより、単独のモータ95のみで、かつ、このモータ95の一方向の回転のみで塵埃収集回転体37および塵埃圧縮体38を連動させて駆動でき、モータを複数設ける場合などと比較して構成を簡略化できるとともに、コストおよび消費電力を低減できるだけでなく、モータ95の逆方向への回転を他の機構の動作に用いることも可能となり、汎用性が向上する。
【０１１５】
そして、塵埃収集回転体37を、第１集塵部27を通過する空気の流れに沿う方向に回動させることで、吸込風の流れを塵埃収集回転体37の回動により妨げにくくなり、掃除中に塵埃収集回転体37などを動作させても、吸込効率の低下を防止できる。
【０１１６】
また、塵埃圧縮体38が、塵埃収集回転体37から掻き取った塵埃を第２集塵部173へと移動させる際に、この第２集塵部173側の塵埃を圧縮することで、綿ごみなど容積が大きくなりやすい塵埃を吸い込んだ場合でも、吸込風を第２集塵部173に通過させることなくその容積いっぱいに塵埃を溜めることが可能になる。
【０１１７】
さらに、塵埃収集回転体37の回動時に、この塵埃収集回転体37の回動方向後側からこの回動方向と反対方向への空気の流れを風路切換板39により遮断することで、第２集塵部173内の塵埃、あるいは塵埃圧縮体38により塵埃収集回転体37から掻き取る塵埃などが、塵埃収集回転体37の回転方向後側から逆流する空気の流れにより舞わなくなり、集塵効率が向上する。
【０１１８】
また、塵埃収集回転体37は、回動時に塵埃圧縮体38の表面を拭き取ることで、この塵埃圧縮体38に付着した塵埃をも自動的にクリーニングし、塵埃収集回転体37および塵埃圧縮体38の回動によって第２集塵部173へと移動させることができる。同時に、塵埃収集回転体37は、回動時に風路切換板39の表面も拭き取ることで、この風路切換板39に付着した塵埃をも自動的にクリーニングし、塵埃収集回転体37および塵埃圧縮体38の回動によって第２集塵部173へと移動させることができる。この結果、第１集塵部27内のメンテナンスの頻度を抑制できる。
【０１１９】
そして、第１集塵部27内のメンテナンスの際には、集塵カップカバー41を集塵カップ本体22側から取り外すことで、塵埃収集回転体37、塵埃圧縮体38および風路切換板39のそれぞれを第１集塵部27から取り外して容易にメンテナンスできる。
【０１２０】
なお、上記一実施の形態において、回動機構43は、塵埃収集回転体37および塵埃圧縮体38を連動させて回動させることができれば、上記構成に限定されるものではない。すなわち、モータ95により塵埃収集回転体37を回動させ、この回動に連動して塵埃圧縮体38を動作させるものだけでなく、例えば手動により塵埃収集回転体37を回動させるように構成してもよい。
【０１２１】
また、風路切換板39を設けずに第１集塵部27内の構成を簡略化することも可能である。
【０１２２】
さらに、塵埃収集回転体37および塵埃圧縮体38の回動角度などは、上記構成に限定されるものではない。
【０１２３】
そして、集塵カップ21は、電気掃除機に用いるものに限定されない。
【０１２４】
また、電気掃除機の細部は、上記構成に限定されるものではなく、電気掃除機としては、キャニスタ型に限らず、例えば自走式(走行補助式)や自律走行式(ロボット式)の電気掃除機などでもよく、また、例えば床ブラシ14が掃除機本体１の下面に直接形成されたアップライト型、あるいはハンディ型などであっても対応させて用いることができる。
【図面の簡単な説明】
【０１２５】
【図１】本発明の一実施の形態の集塵装置の掃除状態を示す側面断面図である。
【図２】同上集塵装置の掃除状態での回動機構を示す側面図である。
【図３】同上集塵装置の回転体の回動状態を示す側面断面図である。
【図４】同上回転体の回動状態および移動体の駆動状態での回動機構を示す側面図である。
【図５】同上移動体の駆動状態を示す側面断面図である。
【図６】同上回転体の復帰状態での回動機構を示す側面図である。
【図７】同上回転体の復帰状態を示す側面断面図である。
【図８】同上集塵装置の第１集塵部側の内部構造を示す分解斜視図である。
【図９】同上回動機構を示す分解斜視図である。
【図１０】同上集塵装置を備えた電気掃除機を示す斜視図である。
【符号の説明】
【０１２６】
１    掃除機本体
２    電動送風機
21    集塵装置としての集塵カップ
27    第１集塵部
37    回転体としての塵埃収集回転体
38    移動体としての塵埃圧縮体
39    壁体としての風路切換板
52    フィルタ
173   第２集塵部
【図１】
2008246154.tif 000003
【図２】
2008246154.tif 000004
【図３】
2008246154.tif 000005
【図４】
2008246154.tif 000006
【図５】
2008246154.tif 000007
【図６】
2008246154.tif 000008
【図７】
2008246154.tif 000009
【図８】
2008246154.tif 000010
【図９】
2008246154.tif 000011
【図１０】
2008246154.tif 000012